【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
光が被検体に照射されることにより発生した光音響波を受信することにより得られた時系列の受信信号に基づいて受信信号データを生成し、保存する信号データ取得部と、
前記被検体内の注目位置における光量を示す情報を取得する光量情報取得部と、
前記受信信号データに基づいて前記被検体内の被検体情報を取得する被検体情報取得部と、
を有し、
前記信号データ取得部は、前記光量を示す情報に基づいて、前記注目位置における光量が閾値よりも小さいときに、前記時系列の受信信号のうち前記注目位置に対応する受信信号のデータ量を低減して前記受信信号データを生成し、保存する
ことを特徴とする光音響装置。
【請求項２】
前記信号データ取得部は、前記注目位置における前記光量が前記閾値よりも小さいときに、前記時系列の受信信号のうち前記注目位置に対応する受信信号を保存しない
ことを特徴とする請求項１に記載の光音響装置。
【請求項３】
前記光量情報取得部は、複数の前記注目位置における前記光量を示す情報を取得し、
前記信号データ取得部は、複数の前記注目位置における前記光量を示す情報に基づいて、前記光量が前記閾値よりも小さい注目位置に対応する受信信号を、前記光量が前記閾値以上の注目位置に対応する受信信号のサンプリング周波数よりも低いサンプリング周波数でサンプリングして前記受信信号データを生成し、保存する
ことを特徴とする請求項１に記載の光音響装置。
【請求項４】
前記光音響波を受信して時系列の受信信号を出力する複数の受信素子と、
前記複数の受信素子の指向軸が所定の領域に集まるように前記複数の前記受信素子を支持する支持体と、を有し、
前記信号データ取得部は、前記注目位置における前記光量が前記閾値よりも小さく、かつ前記注目位置が前記所定の領域に含まれないときに、前記時系列の受信信号のうち前記注目位置に対応する受信信号のデータ量を低減して前記受信信号データを生成し、保存する
ことを特徴とする請求項１から３のいずれか１項に記載の光音響装置。
【請求項５】
前記支持体は、球面上に前記複数の受信素子を支持し、
前記信号データ取得部は、前記注目位置における前記光量が前記閾値よりも小さく、かつ、前記注目位置と前記球面の曲率中心とが対応しないときに、前記時系列の受信信号のうち前記注目位置に対応する受信信号のデータ量を低減して前記受信信号データを生成し、保存する
ことを特徴とする請求項４に記載の光音響装置。
【請求項６】
前記信号データ取得部は、前記注目位置における前記光量が前記閾値よりも小さく、かつ、前記注目位置が前記球面の曲率中心を中心とする高感度領域に含まれないときに、前記時系列の受信信号のうち前記注目位置に対応する受信信号のデータ量を低減して前記受信信号データを生成し、保存する
ことを特徴とする請求項５に記載の光音響装置。
【請求項７】
前記光量情報取得部は、複数のタイミングの光照射のそれぞれに対応する前記注目位置における光量を示す情報を取得し、
前記信号データ取得部は、前記複数のタイミングの光照射のそれぞれに対応する前記光量を示す情報に基づいて、前記複数のタイミングに対応する複数の前記時系列の受信信号のそれぞれに対して、前記光量が前記閾値よりも小さいときに、前記時系列の受信信号のうち前記注目位置に対応する受信信号のデータ量を低減して前記受信信号データを生成し、保存する
ことを特徴とする請求項１から６のいずれか１項に記載の光音響装置。
【請求項８】
前記複数のタイミングのそれぞれで前記被検体に照射される光の照射条件が異なる
ことを特徴とする請求項７に記載の光音響装置。
【請求項９】
光源と、
前記光源から出射された光を前記被検体に導く光学系と、
前記複数のタイミングのそれぞれで前記光学系の位置が異なるように前記光学系を移動させる第１の移動機構を更に有する
ことを特徴とする請求項７または８に記載の光音響装置。
【請求項１０】
前記光音響波を受信して時系列の受信信号を出力する受信素子と、
前記複数のタイミングのそれぞれで前記受信素子の位置が異なるように前記受信素子を移動させる第２の移動機構を更に有する
ことを特徴とする請求項７から９のいずれか１項に記載の光音響装置。
【請求項１１】
前記光量情報取得部は、複数の前記注目位置における光量を示す情報を取得し、
前記信号データ取得部は、複数の前記注目位置における光量を示す情報に基づいて、複数の前記注目位置のそれぞれについて、前記注目位置における前記光量が前記閾値よりも小さいときに、前記時系列の受信信号のうち前記注目位置に対応する受信信号のデータ量を低減して前記受信信号データを生成し、保存する
ことを特徴とする請求項１から１０のいずれか１項に記載の光音響装置。
【請求項１２】
前記被検体への光の照射条件に関するパラメータを設定する制御部を更に有し、
前記光量情報取得部は、前記制御部により設定された前記パラメータに基づいて前記注目位置における光量を示す情報を取得する
ことを特徴とする請求項１から１１のいずれか１項に記載の光音響装置。
【請求項１３】
前記制御部は、ユーザの指定に基づいて決定された前記パラメータを示す情報に基づいて前記パラメータを設定する
ことを特徴とする請求項１２に記載の光音響装置。
【請求項１４】
前記被検体情報取得部は、前記光量を示す情報に基づいて、前記注目位置における前記光量が前記閾値よりも小さいときに、前記注目位置における前記被検体情報を取得しない
ことを特徴とする請求項１から１３のいずれか１項に記載の光音響装置。
【請求項１５】
光が被検体に照射されることにより発生した光音響波を受信することにより得られた時系列の受信信号に基づいて、被検体情報を取得する光音響装置であって、
前記被検体内の光量分布を示す情報を取得する光量情報取得部と、
前記光量分布を示す情報に基づいて、データ量を低減する期間を決定する低減データ決定部と、
前記時系列の受信信号のうち、前記期間に得られた受信信号のデータ量を低減して受信信号データを生成し、保存する信号データ取得部と、
前記受信信号データに基づいて、前記被検体内の前記被検体情報を取得する被検体情報取得部と、
を有することを特徴とする光音響装置。
【請求項１６】
光が被検体に照射されることにより発生した光音響波を受信することにより得られた時系列の受信信号に基づいて受信信号データを生成し、保存する工程と、
前記被検体内の注目位置における光量を示す情報を取得する工程と、
前記受信信号データに基づいて前記被検体内の被検体情報を取得する工程と、
を有し、
前記受信信号データを生成し、保存する工程は、前記光量を示す情報に基づいて、前記注目位置における光量が閾値よりも小さいときに、前記時系列の受信信号のうち前記注目位置に対応する受信信号のデータ量を低減して前記受信信号データを生成し、保存する工程を含む
ことを特徴とする信号処理方法。
【請求項１７】
光が被検体に照射されることにより発生した光音響波を受信することにより得られた時系列の受信信号に基づいて、被検体情報を取得する信号処理方法であって、
前記被検体内の光量分布を示す情報を取得する工程と、
前記光量分布を示す情報に基づいて、データ量を低減する期間を決定する工程と、
前記時系列の受信信号のうち、前記期間に得られた受信信号のデータ量を低減して受信信号データを生成し、保存する工程と、
前記受信信号データに基づいて、前記被検体内の前記被検体情報を取得する工程と、
を有することを特徴とする信号処理方法。
【請求項１８】
請求項１６または１７に記載の信号処理方法をコンピュータに実行させるためのプログラム。
【手続補正２】
【補正対象書類名】明細書
【補正対象項目名】発明の名称
【補正方法】変更
【補正の内容】
【発明の名称】光音響装置、信号処理方法、及びプログラム
【手続補正３】
【補正対象書類名】明細書
【補正対象項目名】０００９
【補正方法】変更
【補正の内容】
【０００９】
本発明に係る光音響装置は、光が被検体に照射されることにより発生した光音響波を受信することにより得られた時系列の受信信号に基づいて受信信号データを生成し、保存する信号データ取得部と、被検体内の注目位置における光量を示す情報を取得する光量情報取得部と、受信信号データに基づいて被検体内の被検体情報を取得する被検体情報取得部と、を有し、信号データ取得部は、光量を示す情報に基づいて、注目位置における光量が閾値よりも小さいときに、時系列の受信信号のうち注目位置に対応する受信信号のデータ量を低減して受信信号データを生成し、保存する。